(57)【特許請求の範囲】
【請求項１】
光通信幹線ケーブル、この光通信幹線ケーブルから分岐された光心線あるいはテープ光心線、およびこの光心線あるいはテープ光心線に接続された接続光ケーブルを覆い、ケース体、ベース板およびカバー体とからなる光通信幹線ケーブル用分岐具であって、
前記ベース板には、前記接続光ケーブルの先端部のコネクターおよびＦＯケーブルのコネクターが接続される接続部が取付けられており、
前記ベース板は、前記ケース体に着脱可能に取付けられかつ前記カバー体内部に収納され、
前記ケース体と前記ベース板とで前記光通信幹線ケーブルを覆い、
前記ベース板と前記カバー体とで前記光心線あるいは前記テープ光心線、および前記接続光ケーブルを覆うことを特徴とする光通信幹線ケーブル用分岐具。
【請求項２】
光心線あるいはテープ光心線と接続光ケーブルとが融着接続されており、その融着接続部を収納する収納部がベース板に設けられていることを特徴とする請求項１記載の光通信幹線ケーブル用分岐具。
【請求項３】
複数個の光心線あるいはテープ光心線がシースで覆われた光通信幹線ケーブルであって、少なくとも２箇所以上の所定位置のシースを除去して前記光心線あるいはテープ光心線を分岐し、この光心線あるいはテープ光心線に接続光ケーブルを接続して、その分岐部分および前記接続光ケーブルを請求項１に記載の光通信幹線ケーブル用分岐具で覆ったことを特徴とする光通信幹線ケーブル。
【請求項４】
複数個の光心線あるいはテープ光心線がシースで覆われた光通信幹線ケーブルであって、少なくとも２箇所以上の所定位置のシースを除去して前記光心線あるいはテープ光心線を分岐し、この光心線あるいはテープ光心線に接続光ケーブルを融着接続して、その分岐部分、融着接続部分および前記接続光ケーブルを請求項２記載の光通信幹線ケーブル用分岐具で覆ったことを特徴とする光通信幹線ケーブル。
【発明の詳細な説明】
【０００１】
【発明の属する技術分野】
本発明はオフィスビル等の建物に光通信幹線ケーブルを設置する場合に使用される光通信幹線ケーブル用分岐具および光通信幹線ケーブルに関する。
【０００２】
【従来の技術】
従来、オフィスビル等の建物には地下に設けた外部からの光通信幹線ケーブルに接続される構内光キャビネットＰＴに、接続された建物の上部より吊り下げられた光通信幹線ケーブルの所定のテープ心線を所定の階に設置した構内光キャビネットＰＤに融着接続するとともに、該構内光キャビネットＰＤより、その階および上下階に光ケーブルを用いてそれぞれの階に設置された回線接続装置に接続している。
【０００３】
【発明が解決しようとする課題】
従来の建物に吊り下げ状態で使用される光通信幹線ケーブルは、設置現場で所定位置のシースを除去し、該光通信幹線ケーブルのテープ心線を構内光キャビネットＰＤに融着接続する作業を行なわなければならず、その作業が大変で、手数がかかるという欠点があった。
【０００４】
本発明は以上のような従来の欠点に鑑み、融着接続等の大変な作業を現場で行なうことなく、工場で行なうことができ、現場では簡単な作業で取付けることができる分岐具を用いて光通信ケーブルの配線を行なうことができる、工場から現場への移送も従来とほぼ同じように行なうことができる光通信幹線ケーブルおよび光通信幹線ケーブル用分岐具を提供すること目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は光通信幹線ケーブル、この光通信幹線ケーブルから分岐された光心線あるいはテープ光心線、およびこの光心線あるいはテープ光心線に接続された接続光ケーブルを覆い、ケース体、ベース板およびカバー体とからなる光通信幹線ケーブル用分岐具であって、
前記ベース板には、前記接続光ケーブルの先端部のコネクターおよびＦＯケーブルのコネクターが接続される接続部が取付けられており、
前記ベース板は、前記ケース体に着脱可能に取付けられかつ前記カバー体内部に収納され、
前記ケース体と前記ベース板とで前記光通信幹線ケーブルを覆い、
前記ベース板と前記カバー体とで前記光心線あるいは前記テープ光心線、および前記接続光ケーブルを覆つて光通信幹線ケーブル用分岐具を構成している。
【０００７】
また、本発明は複数個の光心線あるいいはテープ光心線がシースで覆われた光通信幹線ケーブルであって、少なくとも２箇所以上の所定位置のシースを除去して前記光心線あるいいはテープ光心線を分岐し、この光心線あるいいはテープ光心線に接続光ケーブルを接続して、その分岐部分および前記接続光ケーブルを請求項１または請求項３に記載の光通信幹線ケーブル用分岐具で覆って光通信幹線ケーブルを構成している。
【０００８】
【発明の実施の形態】
以下、図面に示す実施の形態により、本発明を詳細に説明する。
【０００９】
図１ないし図９に示す本発明の第１の実施の形態において、１はオフィスビル等の建物２の上部階より各階の床面に形成された貫通孔３、３、３、３を通過して、下部階へ吊り下げ状態で設置される本発明の光通信幹線ケーブルで、この光通信幹線ケーブル１はあらかじめ設置される現場に合うように設計されたものを工場で製造したもので、図３に示すように４心テープ光心線４、４、４、４、４を５個設けたテープスロット型光通信幹線ケーブル本体５と、この光通信幹線ケーブル本体５の上端部に、図４に示すように取付けられた前記建物２の天井部位に固定された取付け金具６に取付けることができるケーブル吊り具７と、前記光通信幹線ケーブル本体５の前記建物２の各階に位置する部位のシース８を、図５に示すように除去して、あらかじめ設定された該光通信幹線ケーブル本体５の４心テープ光心線４、４、４、４、４と融着接続され、保護チューブ９で覆われるとともに、先端部にＭＵ型簡易フェルール１０、１０、１０、１０が取付けられた接続光ケーブル１１、１１、１１、１１、１１と、前記シース８除去部分の下部を前記接続光ケーブル１１の先端部が外方へ突出するように覆うカバー１２、１２、１２、１２、１２とで構成されている。
【００１０】
１３、１３、１３、１３、１３は設置現場で前記接続光ケーブル１１、１１、１１、１１、１１と光配線ボックス１４、１４、１４、１４、１４に接続されたＭＵ型コネクター１５が備えられたＦＯケーブル１６、１６、１６、１６、１６と接続するとともに該接続部位を覆う分岐具で、この分岐具１３、１３、１３、１３、１３は図７ないし図９に示すように、前記光通信幹線ケーブル本体５のシース８除去部に支持させることができる、前記接続光ケーブル１１の融着接続部を収納する収納部１７および前記接続光ケーブル１１のＭＵ型簡易フェルール１０、１０、１０、１０と前記ＦＯケーブル１６のＭＵ型コネクター１５と接続される接続具１８とが設けられたベース板１９と、このベース板１９および該ベース板１９取付け部位の前記光通信幹線ケーブル本体５を覆うことができるベース板支持部２０が形成された下端部が順次小径となる箱状のケース体２１と、このケース体２１の開口部２１ａを覆うように複数本のビス２２で該ケース体２１に取付けられる内部に前記ベース板１９を位置させる、下端部が順次小径となるカバー体２３とで構成されている。
【００１１】
上記構成の光通信幹線ケーブル本体５に工場で接続光ケーブル１１、１１、１１、１１、１１を融着接続させ、該接続部を保護カバー等によって保護して設置現場に運び、分岐具１３、１３、１３、１３、１３を取付けながら、建物２の上部階より下部階へ吊り下げたり、あるいは上部階より下部階へ吊り下げた後に分岐具１３、１３、１３、１３、１３を取付け、光通信幹線ケーブル１を完成させる。
【００１２】
【発明の異なる実施の形態】
次に、図１０ないし図２２に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図１０ないし図１３に示す本発明の第２の実施の形態において、前記本発明の第１の実施の形態と主に異なる点は、上下端部を順次小径となるケース体２１Ａとカバー体２３Ａとを用いた分岐具１３Ａ、１３Ａ、１３Ａ、１３Ａ、１３Ａを用いた点で、このように形成された分岐具１３Ａ、１３Ａ、１３Ａ、１３Ａ、１３Ａを用いた光通信幹線ケーブル１Ａにしても、前記本発明の第１の実施の形態と同様な作用効果が得られる。
【００１４】
図１４ないし図１７に示す本発明の第３の実施の形態において、前記本発明の第１の実施の形態と主に異なる点は、先端部にコネクター２４、２４、２４、２４が取付けられた接続光ケーブル１１Ａ、１１Ａ、１１Ａ、１１Ａ、１１Ａと、この接続光ケーブル１１Ａ、１１Ａ、１１Ａ、１１Ａ、１１Ａのコネクター２４、２４、２４、２４とＦＯケーブル１６のコネクター１５とが接続される接続具１８Ａを用いた分岐具１３Ｂ、１３Ｂ、１３Ｂ、１３Ｂ、１３Ｂを用いた点で、このように構成した光通信幹線ケーブル１Ｂにしても、前記本発明の第１の実施の形態と同様な作用効果が得られる。
【００１５】
図１８ないし図２２に示す本発明の第４の実施の形態において、前記本発明の第１の実施の形態と主に異なる点は、光通信幹線ケーブル本体５のシース除去部分より所定寸法引き出した４心テープ光心線４の先端部に、ＭＴコネクター２５を取付けるとともに、このＭＴコネクター２５と接続されるＭＴコネクター２６が取付けられ、先端部に簡易フェルール２７が取付けられた接続光ケーブル２８と、この接続光ケーブル２８の簡易フェルール２７と接続される簡易レセプタクル２９が一端部に取付けられた前記シース除去部分を覆うカバー体２３Ｂとからなる光通信幹線ケーブル分岐具１３Ｃとを用いた点で、このように構成した光通信幹線ケーブル１Ｃは、図２２に示すように簡易レセプタクル２９と光配線ボックス１４とをＦＯケーブル１６で簡単に接続することができる。
なお、光通信幹線ケーブル分岐具１３Ｃの簡易レセプタクル２９に接続されたＦＯケーブル１６の該簡易レセプタクル２９側の端部は光通信幹線ケーブル分岐具１３Ｃの端部を覆う軟質性ビニールカバー３０で覆う。
【００１６】
前記本発明の各実施の形態では光通信幹線ケーブル本体５としてテープスロット型のものを用いたものについて説明したが、本発明はこれに限らず、複数個の光心線を束ねてシースで覆ったものを用いてもよく、また、４心テープ光心線を１０個、１５個、２５個、５０個用いたり、分岐具１３、１３Ａ、１３Ｂ、１３Ｃをそれぞれの階でなく、所定の階に位置するように設けてもよい。
【００１７】
【発明の効果】
以上の説明から明らかなように、本発明にあっては次に列挙する効果が得られる。
【００１８】
（１）光通信幹線ケーブル、この光通信幹線ケーブルから分岐された光心線あるいはテープ光心線、およびこの光心線あるいはテープ光心線に接続された接続光ケーブルを覆い、ケース体、ベース板およびカバー体とからなる光通信幹線ケーブル用分岐具であって、
前記ベース板には、前記接続光ケーブルの先端部のコネクターおよびＦＯケーブルのコネクターが接続される接続部が取付けられており、
前記ベース板は、前記ケース体に着脱可能に取付けられかつ前記カバー体内部に収納され、
前記ケース体と前記ベース板とで前記光通信幹線ケーブルを覆い、
前記ベース板と前記カバー体とで前記光心線あるいは前記テープ光心線、および前記接続光ケーブルを覆っているので、設置現場で光通信幹線ケーブル本体と接続ケーブルとを融着接続しなくてもよい。
【００１９】
（２）前記（１）によって、光通信幹線ケーブル本体の光心線あるいはテープ光心線と接続ケーブルとを接続する分岐部は工場で融着接続するので、品質保証が確実にできる。
したがって、光通信幹線ケーブルの配線に対する信頼性の向上を図ることができる。
【００２０】
（３）前記（１）によって、設置現場ではコネクターと接続具の接続とベース板、ケース体、カバー体とからなる分岐具の取付けでよいので、光ケーブル接続用の特殊技術者でなくても、容易に接続作業を行なうことができる。
【００２１】
（４）請求項２、３、４も前記（１）〜（３）と同様な効果が得られる。
【図面の簡単な説明】
【図１】本発明の第１の実施の形態の使用状態の説明図。
【図２】本発明の第１の実施の形態の説明図。
【図３】本発明の第１の実施の形態の光通信幹線ケーブル本体の説明図。
【図４】本発明の第１の実施の形態のケーブル吊り具の説明図。
【図５】本発明の第１の実施の形態の分岐部の接続状態を示す説明図。
【図６】本発明の第１の実施の形態の分岐具の取付け状態の説明図。
【図７】本発明の第１の実施の形態の分岐具の分解図。
【図８】図６の８−８線に沿う断面図。
【図９】図６の９−９線に沿う断面図。
【図１０】本発明の第２の実施の形態の使用状態の説明図。
【図１１】本発明の第２の実施の形態の説明図。
【図１２】本発明の第２の実施の形態の分岐部の説明図。
【図１３】本発明の第２の実施の形態の分岐具の分解図。
【図１４】本発明の第３の実施の形態の使用状態の説明図。
【図１５】本発明の第３の実施の形態の説明図。
【図１６】本発明の第３の実施の形態の分岐具の取付け状態の説明図。
【図１７】本発明の第３の実施の形態の分岐具の分解図。
【図１８】本発明の第４の実施の形態の使用状態の説明図。
【図１９】本発明の第４の実施の形態の説明図。
【図２０】本発明の第４の実施の形態の分岐部の接続状態を示す説明図。
【図２１】本発明の第４の実施の形態の分岐具の取付け状態の説明図。
【図２２】本発明の第４の実施の形態の斜視図
【符号の説明】
１、１Ａ、１Ｂ、１Ｃ：光通信幹線ケーブル、
２：建物、
３：貫通孔、
４：４心テープ光心線、  ５：光通信幹線ケーブル本体、
６：取付け金具、        ７：ケーブル吊り具、
８：シース、            ９：保護チューブ、
１０：ＭＵ型簡易フェルール、
１１、１１Ａ：接続光ケーブル、
１２：カバー、
１３、１３Ａ、１３Ｂ、１３Ｃ：分岐具、
１４：光配線ボックス、  １５：ＭＵ型コネクター、
１６：ＦＯケーブル、
１７：収納部、
１８、１８Ａ：接続具、  １９：ベース板、
２０：ベース板支持部、  ２１、２１Ａ、２１Ｂ：ケース体、
２２：ビス、            ２３、２３Ａ、２３Ｂ：カバー体、
２４：コネクター、      ２５：ＭＴコネクター、
２６：ＭＴコネクター、  ２７：簡易フェルール、
２８：接続光ケーブル、  ２９：簡易レセプタクル、
３０：軟質性ビニールカバー。
【図１】
0004053202.tif 000002
【図２】
0004053202.tif 000003
【図３】
0004053202.tif 000004
【図４】
0004053202.tif 000005
【図５】
0004053202.tif 000006
【図６】
0004053202.tif 000007
【図７】
0004053202.tif 000008
【図８】
0004053202.tif 000009
【図９】
0004053202.tif 000010
【図１０】
0004053202.tif 000011
【図１１】
0004053202.tif 000012
【図１２】
0004053202.tif 000013
【図１３】
0004053202.tif 000014
【図１４】
0004053202.tif 000015
【図１５】
0004053202.tif 000016
【図１６】
0004053202.tif 000017
【図１７】
0004053202.tif 000018
【図１８】
0004053202.tif 000019
【図１９】
0004053202.tif 000020
【図２０】
0004053202.tif 000021
【図２１】
0004053202.tif 000022
【図２２】
0004053202.tif 000023